(57)【要約】【課題】  床面等を這って侵入する昆虫や、装置内部に侵入した昆虫を捕虫し、クリーンルームへの昆虫の侵入を防止するようにしたエアシャワー装置を提供する。【解決手段】  ファンからのエアをメインフィルタを介してエアシャワー室の人体または物品に吹き付けて、塵埃を除去するエアシャワー装置であって、床面とドア開口の下端との間に外部空気吸込口を設け、前記外部空気吸込口に続く流路に殺虫手段を設けたものである。【選択図】  図１
2020139670.tif 000002
【特許請求の範囲】
【請求項１】
ファンからのエアをメインフィルタを介してエアシャワー室の人体または物品に吹き付けて、塵埃を除去するエアシャワー装置であって、
床面とドア開口の下端との間に外部空気吸込口を設け、
前記外部空気吸込口に続く流路に殺虫手段を設けたエアシャワー装置。
【請求項２】
請求項１に記載のエアシャワー装置において、更に、
ドア開口の側方および上方に、ドア開口の前方方向の内側に向かって空気を吹き出すエアカーテン吹出口を設けたことを特徴とするエアシャワー装置。
【請求項３】
請求項１に記載のエアシャワー装置において、
前記殺虫手段は、電気殺虫器であることを特徴とするエアシャワー装置。
【請求項４】
請求項１に記載のエアシャワー装置において、
前記殺虫手段の下流側に、昆虫を集めるプレフィルタを設けたことを特徴とするエアシャワー装置。
【請求項５】
請求項１に記載のエアシャワー装置において、
前記エアシャワー室の下部に内部空気吸込口を備え、前記内部空気吸込口は前記殺虫手段に接続されていることを特徴とするエアシャワー装置。
【請求項６】
請求項２に記載のエアシャワー装置において、
前記エアカーテン吹出口は、ドア開口の側方の全長およびドア開口の上方の全長に渡って設けられていることを特徴とするエアシャワー装置。
【請求項７】
請求項２に記載のエアシャワー装置において、
ドアの蝶番の位置を、前記エアカーテン吹出口よりも外側としたことを特徴とするエアシャワー装置。
【請求項８】
請求項２に記載のエアシャワー装置において、
前記ファンからのエアを、前記メインフィルタへ送るか、前記エアカーテン吹出口へ送るかを切り替えるダンパを備えることを特徴とするエアシャワー装置。
【請求項９】
請求項８に記載のエアシャワー装置において、
ドア開閉検知手段と制御回路を有し、
前記制御回路は、
前記ドア開閉検知手段がドアが開いていることを検知した場合には、前記ダンパを、前記ファンからのエアを前記エアカーテン吹出口へ送るように切り替え、
前記ドア開閉検知手段がドアが閉じていることを検知した場合には、前記ダンパを、前記ファンからのエアを前記メインフィルタへ送るように切り替えることを特徴とするエアシャワー装置。
【請求項１０】
請求項９に記載のエアシャワー装置において、
エアシャワー室内の人または物品を検知する人物品検知手段を備え、
前記制御回路は、前記人物品検知手段がエアシャワー室内の人または物品を検知し、かつ、前記ドア開閉検知手段がドアが閉じていることを検知した場合に、ファンからのエアをメインフィルタを介して人体または物品に吹き付けるように制御することを特徴とするエアシャワー装置。
【発明の詳細な説明】
【技術分野】
【０００１】
本発明は、食品工場、半導体製造工場等におけるクリーンルームへの塵埃や昆虫の侵入を防止するためのエアシャワー装置に関する。
【背景技術】
【０００２】
昆虫の侵入を防止する防虫用エアカーテン装置が、特許文献１に記載されている。この特許文献１には、「通路空間に向けて、その両側から所定角度を有して室外に向くエアカーテン流を吹出した際に両側からのエアカーテン流が交差する位置において、エアカーテン流の上部から昆虫等が進入するのを防止することを目的として、前記交差位置の上部を被うように通路空間に庇を設けている。」（段落［０００８］）と記載されている。
【先行技術文献】
【特許文献】
【０００３】
【特許文献１】特開２００７−１６３０５４号公報
【発明の概要】
【発明が解決しようとする課題】
【０００４】
特許文献１には、昆虫の侵入を防ぐ防虫用エアカーテン装置が記載されている。しかし、特許文献１に記載された装置は床面や天井を這って侵入する昆虫については考慮されていない。このため、装置内への昆虫の侵入を完全に防ぐことができず、また、侵入した昆虫の処理もできない。
【０００５】
本発明の目的は、床面等を這って侵入する昆虫や、装置内部に侵入した昆虫を捕虫し、クリーンルームへの昆虫の侵入を防止するようにしたエアシャワー装置を提供することにある。
【課題を解決するための手段】
【０００６】
上記課題を解決するための、本発明の「エアシャワー装置」の一例を挙げるならば、
ファンからのエアをメインフィルタを介してエアシャワー室の人体または物品に吹き付けて、塵埃を除去するエアシャワー装置であって、床面とドア開口の下端との間に外部空気吸込口を設け、前記外部空気吸込口に続く流路に殺虫手段を設けたものである。
【発明の効果】
【０００７】
本発明によれば、床面等を這って侵入する昆虫や、装置内部に侵入した昆虫を捕虫し、クリーンルームへの昆虫の侵入を防止するようにしたエアシャワー装置を提供することができる。
上記した以外の課題、構成および効果は以下の実施形態の説明により明らかにされる。
【図面の簡単な説明】
【０００８】
【図１】本発明の実施例１に係るエアシャワー装置の要部を示す正面図。
【図２】図１に示すエアシャワー装置のＸ−Ｘ断面から見た右側面断面図。
【図３】図１に示すエアシャワー装置のＹ−Ｙ断面から見た右側面断面図。
【図４】図２に示すエアシャワー装置のＺ−Ｚ断面から見た正面図。
【図５】図１に示すエアシャワー装置の前方のドアを開いた状態を示す平面図。
【図６】本発明の実施例２に係るエアシャワー装置の電気系を示すブロック構成図。
【発明を実施するための形態】
【０００９】
本発明の実施形態について、図面を用いて説明する。
【実施例１】
【００１０】
図１に、本発明の実施例１に係るエアシャワー装置１の正面図を示す。また、図２に図１のＸ−Ｘ断面から見た右側面断面図を、図３にＹ−Ｙ断面から見た右側面断面図を示す。また、図４に図２のＺ−Ｚ断面から見た正面図を示す。なお、各図において、矢印は空気流を示し、実線の矢印はドアが開いた状態のエアカーテン等の空気流を、点線の矢印はドアが閉まった状態のエアジェット気流等の空気流を示す。
【００１１】
エアシャワー装置１は、従来の装置と同様に、エアシャワー装置内部のエアシャワー室で、両側面および上面に設けたエアジェット吹出口４ａ、４ｂ、４ｃから吹出されるエアジェット気流Ｃａ、Ｃｂ、Ｃｃを使用者１５や物品等に吹き付け、使用者１５や物品等に付着した塵埃やごみを除去する。使用者１５や物品等に吹き付けられた塵埃やごみを含むエアは、エアシャワー室の下部の内部空気吸込口７から吸い込まれ、エアシャワー装置内を循環する。
【００１２】
本実施例のエアシャワー装置１は、特徴構成として、出入口側において、床面とドア１３（ドアは、図５を参照）の開口の下端との間に外部空気吸込口２を備えている。外部空気吸込口２は、ドアの開口の下端の全長に渡って設けられている。外部空気吸込口２は、図1に示すような複数の孔でもよいし、１つの長孔でもよい。そして、ドア１３の開口の両側と上端にエアカーテン吹出口３ａ、３ｂ、３ｃが設けられている。ドアの開口の両側のエアカーテン吹出口３ａ、３ｂは、ドアの開口の両側のほぼ全長に渡って設けられており、ドアの開口の上端のエアカーテン吹出口３ｃは、ドアの開口の上側のほぼ全長に渡って設けられている。エアカーテン吹出口３ａ、３ｂ、３ｃは直線状のスリットから成り、ドア開口の前方方向の内側に向かってエアを吹き出すように設けられている。すなわち、ドア開口の両側に設けたエアカーテン吹出口３ａ、３ｂは、ドア開口の前方で空気流が交わるように内側に向かって交差するように傾けて設けられている。また、ドア開口の上方に設けたエアカーテン吹出口３ｃは、ドア開口の前方下方に向けて傾けて設けられている。
【００１３】
図２に示すように、エアシャワー室の側壁の内側には、下方より、電気殺虫器１１、プレフィルタ１２、モータ５により駆動されるファン６、通風路８、メインフィルタ１０が設けられている。また、通風路８には、エアカーテン吹出口３ａ、３ｂ、３ｃへ向かう気流を遮断、開放するダンパ９ａと、メインフィルタ１０を通りエアジェット吹出口４ａ、４ｂ、４ｃへ向かう気流を遮断、開放するダンパ９ｂが切り替え可能に設けられている。
【００１４】
エアシャワー装置１の動作を説明する。エアシャワー装置１を使用するためにドア１３を開いた際、筐体内に設置されているモータ５、ファン６により外部空気吸込口２から空気を吸込む。図１において、矢印Ａが外部空気吸込気流を示す。外部空気吸込口２は床面に近い箇所に設置してあるため、床を這ってエアシャワー装置１に侵入する昆虫を吸込み、捕獲することができる。吸込まれた昆虫は、図２に示すように、エアシャワー装置１の内部に設置された電気殺虫器１１にて殺虫し、捕らえた昆虫が装置内から逃げないようにする。電気殺虫器１１を通り抜けた昆虫やごみなどは、電気殺虫器１１より下流に設置されたプレフィルタ１２で捕らえる。電気殺虫器１１を通り抜けた昆虫は、電気殺虫器１１の光、特にブラックライト等の誘引機構により電気殺虫器１１に引き寄せられ、殺虫される。
【００１５】
外部空気吸込口２より吸込まれた空気は、通風路８およびエアダンパ９ａを通りエアカーテン吹出口３ａ、３ｂ、３ｃよりドア開口部の前方に吹出される。エアカーテン吹出口３ａ、３ｂ、３ｃは、エアシャワー装置１の開口部の両側と上側に設置され、装置の前面方向の内側に向けてエアカーテン気流Ｂａ、Ｂｂ、Ｂｃ吹出すことにより、風圧によって飛翔する昆虫の侵入を防ぐ。また、ドア開口部の両側および上側から這って侵入する昆虫も、吹き飛ばす。
【００１６】
図５に示すように、ドア１３を開閉する蝶番１４の位置を、エアカーテン吹出口３ａよりも外側とすることで、手動開きドア付のエアシャワー装置１でも、ドア１３とエアカーテン吹出口３ａとが干渉することなく、エアカーテン吹出口３ａより空気を吹出すことができる。
【００１７】
使用者１５がエアシャワー室に入り、ドア１３を閉じると、ダンパ９ａと９ｂが切り替わり、ファン６から送られる空気は、メインフィルタ１０を通って、エアシャワー室の側方および上方に設けたエアジェット吹出口４ａ、４ｂ、４ｃから、エアシャワー室内の使用者１５に吹き付けられる。メインフィルタ１０を通りエアジェット吹出口４ａ、４ｂ、４ｃから吹出されるエアジェット気流Ｃａ、Ｃｂ、Ｃｃと、虫の侵入を防止するエアカーテン気流Ｂａ、Ｂｂ、Ｂｃを発生させるために用いるモータ５およびファン６は同一のものを使用することにより、モータ台数の削減と筐体のコンパクト化を図ることができる。
【００１８】
エアシャワー装置１のエアシャワー室内に侵入した昆虫は、エアジェット作動時にエアジェット気流Ｃａ、Ｃｂ、Ｃｃにより装置下部の内部空気吸込口７より筐体内に吸込まれる。吸込まれた昆虫は、外部空気吸込口２で吸込む場合と同様に、電気殺虫器１１により殺虫され、プレフィルタ１２で集められる。
【００１９】
本実施例によれば、床面とドアの開口の下端との間に外部空気吸込口を設け、外部空気吸込口に続く流路に殺虫器を設けたので、床面から這って侵入する昆虫を捕虫することができる。また、ドアの開口の側方および上方にエアカーテン吹出口を設け、装置の前方方向の内側に向けてエアジェット気流を吹出すようにしたので、飛翔する昆虫や這って侵入する昆虫を風圧によって吹き飛ばすことができ、エアシャワー室への昆虫の侵入を防ぐことができる。そして、エアシャワー装置に続くクリーンルームへの昆虫の侵入を確実に防止することができる。さらに、エアシャワー室内へ侵入した昆虫は、エアシャワー室下部の内部吸込口から吸い込まれ、内部空気吸込口に続く流路に設けた殺虫器により、捕虫できる。
【実施例２】
【００２０】
図６に、本発明の実施例２に係るエアシャワー装置の電気系のブロック構成図を示す。実施例２のエアシャワー装置は、ドア１３の開閉状態を検知するドア開閉検知手段２２と、エアシャワー室内の人または物品等を検知する人物品検知手段２４と、制御回路２０を備えている。制御回路２０は、ドア開閉検知手段２２からのドア開閉検知信号と、人物品検知手段２４からの人物品検知信号を入力し、ダンパ９ａおよびダンパ９ｂの切替信号やモータ５の駆動信号を出力する。
【００２１】
本実施例のエアシャワー装置の動作を説明する。制御回路２０は、ドア開閉検知手段２２がドア１３が開いていることを検知した場合には、ダンパ９ａを、ファン６からのエアをエアカーテン吹出口３ａ，ｂ，ｃへ送るように切り替え、ドア開閉検知手段２２がドア１３が閉じていることを検知した場合には、ダンパ９ｂを、ファン６からのエアをメインフィルタ１０へ送るように切り替える。そして、ドア開閉検知手段２２がドアが開いていることを検知した場合に、エアシャワー装置１は、ファン６からのエアをエアカーテン吹出口３ａ，ｂ，ｃから前方方向に吹き出す。これに対して、制御回路２０は、人物品検知手段２４がシャワー室内の人または物品を検知し、かつ、ドア開閉検知手段２２がドアが閉じていることを検知した場合に、ファン６からのエアをメインフィルタ１０を介してエアシャワー室内の人または物品等に吹き付けるようにモータ５を制御する。そして、制御回路２０は、人または物品の塵埃を除去するに必要な所定の時間モータを動作させた後に、モータ５を停止する。
【００２２】
本実施例によれば、ドアの開閉状態とエアシャワー室内の人または物品の有無に応じて、エアシャワー装置を自動的に制御することができる。
【符号の説明】
【００２３】
１…エアシャワー装置
２…外部空気吸込口
３ａ，３ｂ，３ｃ…エアカーテン吹出口
４ａ，４ｂ，４ｃ…エアジェット吹出口
５…モータ
６…ファン
７…内部空気吸込口
８…通風路
９ａ，９ｂ…ダンパ
１０…メインフィルタ
１１…電気殺虫器
１２…プレフィルタ
１３…ドア
１４…蝶番
１５…使用者
２０…制御回路
２２…ドア開閉検知手段
２４…人物品検知手段
Ａ…外部空気吸込気流
Ｂ…エアカーテン気流
Ｃ…エアジェット気流
【図１】
2020139670.tif 000003
【図２】
2020139670.tif 000004
【図３】
2020139670.tif 000005
【図４】
2020139670.tif 000006
【図５】
2020139670.tif 000007
【図６】
2020139670.tif 000008